(57)【特許請求の範囲】
【請求項１】
プリントサイズに合わせてカットされたカット印画紙を副走査方向に搬送する露光搬送部としての第１露光搬送ローラユニットと第２露光搬送ローラユニットと、前記第１・第２露光搬送ローラユニットの間に配置されるとともに前記搬送されるカット印画紙をライン露光する主走査方向に延びた露光ヘッドと、前記カット印画紙の搬送を前記露光搬送部から引き継ぐ露光後搬送部とを備えた画像露光装置において、
前記露光後搬送部は駆動ローラとこの駆動ローラに対して遠近変位可能な圧着ローラとからなる複数の露光後搬送ローラユニットから構成され、各露光後搬送ローラユニットの圧着ローラはカット印画紙の露光完了後に初めてそのカット印画紙を圧着することを特徴とする画像露光装置。
【請求項２】
前記露光後搬送部における圧着ローラは露光されている印画紙の長さに応じて別々のタイミングで圧着制御されるように構成されていることを特徴とする請求項１に記載の画像露光装置。
【請求項３】
前記露光後搬送部は印画紙搬送方向上流側が第１露光後搬送部として、印画紙搬送方向下流側が第２露光後搬送部として形成されており、前記第１露光後搬送部の各圧着ローラは印画紙の長さに応じて個別のタイミングで圧着制御され、前記第２露光後搬送部の各圧着ローラは一体的に圧着制御されることを特徴とする請求項１に記載の画像露光装置。
【請求項４】
前記第１露光後搬送部がターン搬送部であり、前記第２露光後搬送部が直線搬送部であることを特徴とする請求項であることを特徴とする請求項３に記載の画像露光装置。
【請求項５】
前記ターン搬送部の各圧着ローラは回転カム機構によって圧着制御され、前記直線搬送部の各圧着ローラはスライドカム機構によって圧着制御されることを特徴とする請求項４に記載の画像露光装置。
【発明の詳細な説明】
【０００１】
【発明の属する技術分野】
本発明は、プリントサイズに合わせてカットされたカット印画紙を副走査方向に搬送する露光搬送部としての第１露光搬送ローラユニットと第２露光搬送ローラユニットと、前記第１・第２露光搬送ローラユニットの間に配置されるとともに前記搬送されるカット印画紙をライン露光する主走査方向に延びた露光ヘッドと、前記カット印画紙の搬送を前記露光搬送部から引き継ぐ露光後搬送部とを備えた画像露光装置に関する。
【０００２】
【従来の技術】
従来の画像露光装置では、光源からの照明光を写真フィルムに照射し、写真フィルムを透過した透過光で印画紙を露光することで写真フィルムに撮像された画像を印画紙に焼き付けており、この露光済みの印画紙を現像処理することで写真プリントを得ていた。最近、このような投影露光式の画像露光装置に代えて、フィルム画像を光電変換することで取得したデジタル画像データに適当な画像処理を施してプリントデータを生成し、このプリントデータに基づいてデジタル露光ヘッドが印画紙を露光する、いわゆるデジタル露光式の画像露光装置が登場している。
【０００３】
このようなデジタル露光式は、取得したデジタル画像データを画像処理技術を用いて自由に加工することができるため、画像合成や部分修正などの作業が容易となる利点があるが、投影露光式に匹敵する高い解像度を得るためには、主走査方向に延びた露光ヘッドを用い、この露光ヘッドに対してプリントサイズに合わせてカットされたカット印画紙を主走査方向に直交する副走査方向に搬送することにより、フィルム画像全体の露光を完了するリニア露光方式を採用している。このため、高い仕上がり品質を得るためには、カット印画紙の副走査搬送を十分な精度をもって行わなければならないので、高い精度をもって製作された露光搬送部がこの副走査搬送を、つまりカット印画紙の露光搬送を行い、さらにそのカット印画紙の搬送を露光後搬送部に引き継がせる。
【０００４】
【発明が解決しようとする課題】
上述したような画像露光装置における露光搬送では、カット印画紙の先端部に無用な余白が形成されることを避けるためには、まず第１露光搬送ローラユニットによって露光すべきカット印画紙が挟持搬送された後、露光ヘッドによる露光が開始され、次いで第２露光搬送ローラユニットがそのカット印画紙を挟持搬送することになるが、露光中のカット印画紙の先端が第２露光搬送ローラユニットに突入する際の生じる搬送負荷が露光むらを引き起こすことになる。このような搬送負荷を抑えるため、例えば、特開昭６２−１３５０６４号公報などでは、印画紙搬送方向下流側のローラ対の、つまり第２露光搬送ローラユニットの圧着ローラを対応する駆動ローラに対して遠近変位可能とし、露光中のカット印画紙が第２露光搬送ローラユニットを通過してから圧着ローラを変位させて駆動ローラとの間でカット印画紙を挟むようにしている。
【０００５】
ところがこのような画像露光装置においても、印画紙搬送方向に長いカット印画紙を露光する場合露光中にもかかわらずその先端は露光後搬送部まで進行して露光後搬送ローラユニットに突入し、やはり露光中印画紙の搬送負荷となり露光むらを引き起こす。上記実状に鑑み、本発明の課題は、露光搬送部によって露光搬送されている長めのカット印画紙に対しても露光後搬送部ができるだけ搬送負荷を与えない画像露光装置を提供することである。
【０００６】
【課題を解決するための手段】
上記課題を解決するため、プリントサイズに合わせてカットされたカット印画紙を副走査方向に搬送する露光搬送部としての第１露光搬送ローラユニットと第２露光搬送ローラユニットと、前記第１・第２露光搬送ローラユニットの間に配置されるとともに前記搬送されるカット印画紙をライン露光する主走査方向に延びた露光ヘッドと、前記カット印画紙の搬送を前記露光搬送部から引き継ぐ露光後搬送部とを備えた画像露光装置において、本発明では、前記露光後搬送部は駆動ローラとこの駆動ローラに対して遠近変位可能な圧着ローラとからなる複数の露光後搬送ローラユニットから構成され、各露光後搬送ローラユニットの圧着ローラは露光中のカット印画紙の少なくとも一部が通過した後に初めてそのカット印画紙を圧着する。
【０００７】
この構成によれば、露光搬送部のみならず露光後搬送部も駆動ローラに対して遠近変位可能な圧着ローラを備えており、各圧着ローラはカット印画紙の露光が完了した後露光中のカット印画紙を圧着するので、長いカット印画紙を扱うときでさえ、露光中のカット印画紙の先端が閉じられた駆動ローラと圧着ローラとの間に突入することがなくなり、露光搬送中の搬送負荷変動が抑制され、高い露光品質が得られる。
【０００８】
前記露光後搬送部における圧着ローラの圧着制御にあたって、露光完了時においてカット印画紙が通過している圧着ローラは印画紙長さによって異なることを考慮するならば、前記露光後搬送部における圧着ローラを露光されている印画紙の長さに応じて別々のタイミングで圧着制御するように構成することが望ましい。
【０００９】
また、数多くある露光後搬送部の圧着ローラを遠近変位させる構造を簡単化するため、本発明の好適な実施形態では、前記露光後搬送部は印画紙搬送方向上流側が第１露光後搬送部として、印画紙搬送方向下流側が第２露光後搬送部として形成されており、直接露光搬送部の印画紙搬送方向下流側に位置する前記第１露光後搬送部の各圧着ローラはカット印画紙の搬送タイミングなどによってそれぞれ異なる圧着変位をしなければならないので個別のタイミングで圧着制御できるように構成されるが、前記第２露光後搬送部の各圧着ローラはカット印画紙の長さが長い時にだけ露光搬送部との印画紙搬送の引継を行うだけなので圧着制御機構を共通化して全圧着ローラが一体的に圧着制御するように構成する。
【００１０】
また、本発明の好適な実施形態の１つとして、前記第１露光後搬送部がターン搬送部として構成し、前記第２露光後搬送部を直線搬送部として構成するならば、印画紙搬送ラインを露光搬送部を境として所望の方向に方向転換することができるので、搬送ラインの設計的自由度が得られるとともに画像露光装置の全体構成をコンパクトにすることにも貢献する。
【００１１】
さらに、露光後搬送部の各圧着ローラの変位を制御する好適なしくみとして、前記ターン搬送部の各圧着ローラはカム体が回転する回転カム機構によって圧着制御され、前記直線搬送部の各圧着ローラはカム体が直動するスライドカム機構によって圧着制御されることが提案される。特に数多くの圧着ローラが含まれる直線搬送部はスライドカム機構の採用により、カム体の簡単なスライド操作だけで全圧着ローラを一体的に変位させることが可能である。
本発明によるその他の特徴及び利点は、以下図面を用いた実施例の説明により明らかになるだろう。
【００１２】
【発明の実施の形態】
本発明による画像露光装置を搭載した写真処理装置の概略ブロック図が図１に示されている。この写真処理装置はデジタル露光式を採用しており、ここでは図示されていないフィルム現像機によって現像処理された写真フィルム（以後単にフィルムと称す）１のコマ画像をデジタル画像データとして取得するフィルムスキャナー３と、取得されたデジタル画像データを処理してプリントデータを作成するコントローラ７と、このプリントデータに基づいて印画紙２にコマ画像に対応する画像を露光するデジタルプリント部５と、露光された印画紙２を現像処理する現像処理部６とを備えている。現像処理部６で現像された印画紙２は、乾燥工程を経て仕上がりプリントとして排出される。
【００１３】
フィルムスキャナ３は、主な構成要素として、照明光学系３１、撮像光学系３２、光電変換素子としてラインＣＣＤセンサを用いた光電変換部３３、フィルム１に対する光の照射範囲を決定するとともにフィルム１をスキャニングのために副走査方向に搬送するオートフィルムマスク９を備えている。
【００１４】
照明光学系３１は、白色光源としてのハロゲンランプ３１ａ、調光フィルタ３１ｂ、ミラートンネル３１ｃなどから構成され、光源からの光ビームの色分布や強度分布を整えてフィルム１を照射する。フィルム２からの透過光ビームを処理する撮像光学系３２は、レンズユニット３２ｂと光の方向を変えるミラー３２ａとから構成されている。
【００１５】
撮像光学系３２によって導かれた光ビームを光電変換する光電変換部３３は、ラインＣＣＤセンサとしてＲＧＢの各色を検出するために割り当てられた３つのＣＣＤセンサ３３ａ、３３ｂ、３３ｃを備えており、各ＣＣＤセンサは多数（例えば５０００個）のＣＣＤ素子が主走査方向、つまりフィルム１の幅方向に配列されている。赤色用ＣＣＤセンサ３３ａの撮像面にはフィルム１を透過した光の赤色成分のみを通過させるカラーフィルタが、緑色用ＣＣＤセンサ３３ｂの撮像面にはフィルム１を透過した光の緑色成分のみを通過させるカラーフィルタが、青色用ＣＣＤセンサ３３ｃの撮像面にはフィルム１を透過した光の青色成分のみを通過させるカラーフィルタが設けられており、それぞれ、青色成分、赤色成分、緑色成分のみを光電変換する。
【００１６】
フィルム１のコマ画像がオートフィルムマスク９に設定されているスキャン位置に位置決めされると、コマ画像の読取処理が開始され、コマ画像の透過光は、フィルム搬送機構９ａによるフィルム１の送りにより、順次３つのＣＣＤセンサ３３ａ、３３ｂ、３３ｃによって読み取られるが、各ＣＣＤセンサがフィルム１の搬送方向に沿って数画素分の間隔を隔てて配置されているので、同一の画素におけるＲ、Ｇ、Ｂの各成分色の検出タイミングには時間差が生じるが、これは光電変換部３３の後段での信号処理により同一の画素のＲ、Ｇ、Ｂ画像信号が対応づけられてコントローラ７の所定のメモリに格納される。このような、フィルムスキャナー３の照明光学系３１、撮像光学系３２、光電変換部３３、及びオートフィルムマスク９の各制御はコントローラ７によって行われる。
【００１７】
デジタルプリント部５には、この実施形態では、ＰＬＺＴシャッター方式が採用されている。つまり、露光ヘッド５ａとして、ＰＬＺＴ素子からなるシャッタアレイを採用したものである。このＰＬＺＴ素子からなるシャッタアレイは、チタン酸ジルコン酸鉛にランタンを添加することにより得られる透明強誘電性セラミックス材料から構成され、その材料の有する電気光学効果を利用したもので、各シャッターには光源５ｂから多数の光ファイバを介してＲ、Ｇ、Ｂ各色の光が導入される。このシャッタアレイは印画紙２の幅方向、つまり搬送方向の横断方向に沿って２列に並んだ印画紙２にわたって延びている。各シャッターに所定レベルの電圧が印加されると、光透過状態になり、その電圧の印加が停止されると光遮断状態となる。従って、コントローラ７からプリントデータに基づいて各画素に対応するシャッターに駆動電圧が印加されると、そのシャッターが開いて光源から導入されている色の光が印画紙２に照射される。光源５ｂには、Ｒ、Ｇ、Ｂの３色の光学フィルタからなる回転フィルタが備えられており、この回転フィルタを回転位相制御することにより、Ｒ、Ｇ、Ｂの内の１つが選択的に光源に対向し、その色のフィルタを介して選択色の光が光ファイバーを通じてシャッターに送られる。デジタルプリント部の方式としては、このＰＬＺＴシャッター方式以外に液晶シャッター方式、蛍光ビーム方式、ＦＯＣＲＴ方式、ＤＭＤ（デジタルマイクロミラーデバイス）方式などが知られており、露光仕様に応じて任意に選択することができる。
【００１８】
このデジタルプリント部５は、複列の、この実施形態では２列に並んだカット印画紙２のそれぞれを同時に露光できるものである。このため、印画紙搬送機構８はカット印画紙２を単列で搬送する印画紙供給ライン８Ａと、カット印画紙２を２列で搬送する露光搬送ライン８Ｂと現像搬送ライン８Ｃとに区分けされ、印画紙供給ライン８Ａと露光搬送ライン８Ｂとの間に、印画紙供給ライン８Ａから順次送られてくる印画紙２を露光搬送ライン８Ｂの各列に振り分ける振り分け装置４が設けられている。
【００１９】
図２と図３とから明らかなように、印画紙供給ライン８Ａは、乳剤面を外側にして印画紙２をロール状に収納している２つの印画紙マガジン１０のいずれか一方から選択的に印画紙２を引き出す引き出しローラ群からなる引き出し搬送部８ａと、振り分け装置４に印画紙２を受け渡す振り分け前搬送部８ｂとから構成されている。
【００２０】
振り分け前搬送部８ｂの上流端には、印画紙マガジン１０から引き出された印画紙２をプリントサイズに合わせてカットするペーパーカッター１１が設けられており、このペーパーカッター１１の下流側に位置するバックプリント部１２が設けられている。バックプリント部１２は、印画紙２の裏面（非乳剤面）に、フィルムＩＤやコマ番号、さらにプリントデータ作成時に行われた画像処理を示す補正情報などを印字するものであり、通常ドットインパックトプリンタが用いられている。
【００２１】
振り分け前搬送部８ｂは、バックプリント部１２を挟むように配置された、２対の搬送ローラユニットを備えており、特に下流側の搬送ローラユニットは印画紙供給ライン８Ａにおける印画紙搬出エリアを構成するものであり、印画紙２の非乳剤面側に接当する駆動ローラ８１と乳剤面側に接当する圧着ローラ８２から成り、圧着ローラ８２は駆動ローラ８１に対して遠近変位可能で、駆動ローラ８１と圧着ローラ８２との間で印画紙２を圧着したり、解放したりすることができる。
【００２２】
露光搬送ライン８Ｂは、搬送方向の順で、中間搬送部８ｃと、露光搬送部８ｄと、露光後搬送部８ｅとから構成されている。これらの搬送部は全て、カット印画紙２を２列の横並びで同時搬送することが可能なように幅広の搬送ローラユニットと、それぞれの列に対応させたガイド部材を備えている。ただし、中間搬送部８ｃでは、中間駆動ローラ８３は２列をカバーする幅広ローラであるが、中間圧着ローラは、右列用と左列用とに分けられている。つまり、中間搬送部８ｃは、露光搬送ライン８Ｂの２列の搬入エリアを構成する中間搬送ローラユニット８０Ａとして構成されており、カット印画紙２の非乳剤面側に接当する中間駆動ローラ８３とこの中間駆動ローラ８３に対して遠近変位可能な第１中間圧着ローラ８４ａと第２中間ローラ８４ｂとからなる。第１中間圧着ローラ８４ａは露光搬送ライン８Ｂの右列を搬送されるカット印画紙２を圧着し、第２中間圧着ローラ８４ｂは露光搬送ライン８Ｂの左列を搬送されるカット印画紙２を圧着するものであり、その圧着・解放操作は互いに独立的に行うことができる。つまり、２枚のカットカット印画紙２を順番に第１中間圧着ローラ８４ａと第２中間圧着ローラ８４ｂで受け取り保持し、同時に２枚のカット印画紙２を露光搬送部８ｄへ送り出すことができる。
【００２３】
振り分け装置４は、ペーパーカッター１２によってカットされた印画紙２を受け取って、中間搬送ローラユニット８０Ａの左右の列位置に交互に移載する２台のチャッカー式のＸ−Ｙ移動機構から構成されている。もちろん、幅広の大型印画紙２を取り扱う場合は１列での露光となるので、単に印画紙供給ライン８Ａから受け取った印画紙２をそのまま中間搬送ローラユニット８０Ａに引き渡すだけである。
【００２４】
露光搬送部８ｄは、デジタルプリント部５の露光ヘッド５ａを挟むように配置された入り口側の第１露光搬送ローラユニット８０Ｂと出口側の第２露光搬送ローラユニット８０Ｃとを備えており、第１露光搬送ローラユニット８０Ｂはカット印画紙２の非乳剤面側に接当する第１露光駆動ローラ８５とこの第１露光駆動ローラ８５に対して遠近変位可能な第１露光圧着ローラ８６を、そして第２露光搬送ローラユニット８０Ｃはカット印画紙２の非乳剤面側に接当する第２露光駆動ローラ８７とこの第２露光駆動ローラ８７に対して遠近変位可能な第２露光圧着ローラ８８を有している。第１・第２露光駆動ローラ８５、８７は１つの駆動源８９からのベルト伝動機構８９ａによって同期駆動されるが、第１・第２露光圧着ローラ８６、８８はそれぞれ独立的に対向する露光駆動ローラに対して遠近変位可能である。このため、第１露光圧着ローラ８６を遠近変位させる第１駆動体８６ａと第２露光圧着ローラ８７を遠近変位させる第２駆動体８７ａが備えられているが、これらの駆動体の構成は、モータとリンクの組み合わせや、モータと偏芯カムの組み合わせなど、仕様に応じた機構を採用することができる。このような構成により、第１露光搬送ローラユニット８０Ｂのみで、又は第２露光搬送ローラユニット８０Ｃのみで、あるいは第１・第２露光搬送ローラユニット８０Ｂ、８０Ｃの両方でカット印画紙２を露光搬送することができる。
【００２５】
露光後搬送部８ｅは、ターン搬送部９０Ａと直線搬送部９０Ｂとから構成されている。ターン搬送部９０Ａは垂直に延びた露光搬送部８ｄから水平に方向転換する領域に設けられており、カット印画紙２を垂直方向から水平方向に湾曲させながら搬送する。直線搬送部９０Ｂはターン搬送部９０Ａから引き継いだカット印画紙２をほぼ水平方向に搬送して、現像処理部６に送り込む。
【００２６】
図４から最もよく理解することができるが、ターン搬送部９０Ａには、印画紙搬送方向の上流側に、つまり垂直に延びた露光搬送部８ｄから水平に方向転換し始める領域に設けられた第１露光後搬送ローラユニット９１、印画紙搬送方向の下流側、つまり露光後搬送ライン８ｅが水平への方向転換を終える領域に設けらた第２露光後搬送ローラユニット９２、及びカット印画紙２の方向転換をスムーズに案内するためにこの第１露光後搬送ローラユニット９１から第２露光後搬送ローラユニット９２にわたって延びているターンガイド９３が設けられており、このターンガイド９３は、乳剤面側の内側ターンガイド９３ａと非乳剤面側の外側ターンガイド９３ｂからなる。
【００２７】
第１露光後搬送ローラユニット９１は、カット印画紙２の乳剤面側に接当する第１ターン駆動ローラ９１とこの第１ターン駆動ローラ９１ａに対して遠近変位可能な第１ターン圧着ローラ９１ｂを、第２露光後搬送ローラユニット９２は、カット印画紙２の乳剤面側に接当する第２ターン駆動ローラ９２ａとこの第２ターン駆動ローラ９２ａに対向して取り付けられている第２ターン圧着ローラ９２ｂを有している。
【００２８】
直線搬送部９０Ｂにも、複数の露光後搬送ローラユニット群として直線搬送ローラユニット９４が設けられており、この直線搬送ローラユニット９４のそれぞれは、乳剤面側に位置する直線駆動ローラ９４ａとこの直線駆動ローラ９４ａに対して遠近変位可能な直線圧着ローラ９４ｂを備えている。さらに直線搬送９０Ｂ内でのカット印画紙２の搬送ガイドとして直線ガイド９５が設けられており、この直線ガイド９５は、乳剤面側の内側直線ガイド９５ａと非乳剤面側の外側直線ガイド９５ｂからなる。
【００２９】
第１ターン駆動ローラ９１ａと第２ターン駆動ローラ９２ａは模式的にしか図示されていないベルト伝動機構９６を介して同期駆動されている。このベルト伝動機構９６は同時に直線搬送ユニット９０Ｂの直線駆動ローラ９４ａをも同期駆動している。このベルト伝動機構９６によって露光後搬送部８ｅが作り出す印画紙搬送速度、つまり第１・第２ターン駆動ローラ９１ａ、９２ａや直線駆動ローラ９４ａが作り出す印画紙搬送速度は露光搬送部８ｄが作り出す印画紙搬送速度と実質的に同じとなるように構成されている。
【００３０】
図４に示すように、第１・第２ターン圧着ローラ９１ｂ、９２ｂは、回転カム機構５０によって位置変更可能に構成されている。回転カム機構５０は、コントローラ７によって制御されるモータ５１の回転軸５１ａに取り付けられた第１カム板５２と第２カム板５３、及び第１カム板５２のカム面に沿って追従変位する第１カムフォロア５４と第２カム板５３のカム面に沿って追従変位する第２カムフォロア５５を備えている。第１ターン圧着ローラ９１ｂは第１揺動軸５６ａ周りで揺動する二股の第１揺動リンク５６の一端に取り付けられており、第１揺動リンク５６の他端に第１カムフォロア５４が取り付けられている。従って、第１カム板５２の回転変位にともなって第１ターン圧着ローラ９１ｂは第１ターン駆動ローラ９１ａとの間でカット印画紙２を圧着搬送する圧着搬送位置から圧着解除位置まで揺動変位することになる。
【００３１】
同様に、第２ターン圧着ローラ９２ｂは第２揺動軸５７ａ周りで揺動する二股の第２揺動リンク５７の一端に取り付けられており、第２揺動リンク５７の他端に第２カムフォロア５５が取り付けられている。従って、第２カム板５３の回転変位にともなって第２ターン圧着ローラ９２ｂは第２ターン駆動ローラ９２ａとの間でカット印画紙を圧着搬送する圧着搬送位置から圧着解除位置まで揺動変位することになる。第１・第２揺動リンク５６、５７、２８はそれぞれの圧着ローラ９１ｂ、９２ｂに対する圧着位置方向にバネ付勢されている。
【００３２】
複数の直線圧着ローラ９４ｂはスライドカム機構６０によって位置変更可能に構成されている。このスライドカム機構６０は、コントローラによって制御される回転ソレノイド６１の回転軸６１ａに取り付けられた回転板６２、回転板６２の偏芯位置に立設されたピン６３が係入する長孔６４ａを有する細長いスライドカム体４４を備えている。このスライドカム体４４は、図示されないガイドによって印画紙搬送ラインにそって摺動可能に構成されており、各直線圧着ローラ９４ｂの支軸９４ｂの延長部を受け入れることができる傾斜面付き切り欠き部６４ｂを備えている。つまり、この切り欠き部６４ｂの傾斜面がカム面として、そして直線圧着ローラ９４ｂの支軸９４ｃの延長部がカムフォロアとして作用するように設計されており、スライドカム体４４が長手方向に摺動することにより支軸９４ｃの延長部が切り欠き部６４ｂの傾斜面を上ったり下がったりし、全ての直線圧着ローラ９４ｂが一体的に圧着・圧着解除変位する。
【００３３】
この目的のため、直線圧着ローラ９４ｂは直線駆動ローラ９４ａに対して遠近変位するように構成されているとともに、ばね９７によって直線駆動ローラ９４ａの方に付勢されている。また、スライドカム体４４も図４で右方向にばね９８によって付勢されている。従って、回転ソレノイド６１が図４で反時計方向に回転することにより、ピン６３が長孔６４ａを介してスライドカム体４４を左方向にばね９８に抗してスライドさせ、支軸９４ｃの延長部がその切り欠き部６４ｂの斜面を上ることにより、直線圧着ローラ９４ｂは圧着解除位置となる。逆に、回転ソレノイド６１をＯＦＦにすると、ばね９８によってスライドカム体４４は右方向に摺動し、支軸９４ｃの延長部がその切り欠き部６４ｂの斜面を下がり、直線圧着ローラ９４ｂは圧着位置となる。
【００３４】
図４で示された回転カム機構５０とスライドカム機構６０の位置では、第１ターン圧着ローラ９１ｂ、第２ターン圧着ローラ９２ｂ、及び直線圧着ローラ９４ｂは圧着姿勢となっているが、回転カム機構５０とスライドカム機構６０の位置が変わることにより、これらの圧着ローラ９１ｂ、９２ｂ、９４ｂの圧着・解除操作が行われる。これらの姿勢変更の切り換えの様子を図５を用いて説明する。
【００３５】
図５の（イ）では、回転カム機構５０の回転軸５１ａが図４に比べ反時計方向に約６０度回転しており、第１カム板５２が第１カムフォロア５４を図４で示された位置から少し持ち上げて、第１揺動リンク５６が時計方向に揺動することにより第１ターン圧着ローラ９１ｂが圧着解除姿勢となっているが、第２ターン圧着ローラ９２ｂは圧着姿勢のままである。スライドカム機構５０の回転ソレノイド６１はＯＦＦとなっており、全てのターン圧着ローラ９４ｂが圧着解除姿勢となっている。
【００３６】
図５の（ロ）では、回転カム機構５０の回転軸５１ａが図５の（イ）からさらに反時計方向に約６０度回転しており、第１カム板５２による第１カムフォロア２４持ち上げ位置は変わらないので第１ターン圧着ローラ９１ｂは圧着解除姿勢のままであるが、第２カム板５３が第１カムフォロア５５を図４で示された位置から持ち上げることで第２揺動リンク５７が時計方向に揺動することにより第２ターン圧着ローラ９２ａも圧着解除姿勢となっている。ターン圧着ローラ９４ｂが圧着解除姿勢のままである。
【００３７】
図５の（ハ）では、回転カム機構５０は図５（ロ）の位置の位置を保持しており、第１・第２ターン圧着ローラ９１ｂ、９１ｂは圧着解除姿勢のままである。ここでは、スライドカム機構６０の回転ソレノイド６１が励起され、回転板６２が反時計方向に約４５度°回転しており、これにともなってスライドカム体４４が左方向にスライドしているので、支軸９４ｃの延長部がその切り欠き部６４ｂの斜面を上りきっており、全直線圧着ローラ９４ｂは圧着解除位置となっている。従って、ここでは第１・第２ターン圧着ローラ９１ｂ、９２ｂ、及び直線圧着ローラ９４ｂの全てが圧着解除状態となっている。
【００３８】
この実施の形態では回転カム機構５０とスライドカム機構６０を個別に制御されているので、第１・第２ターン圧着ローラ９１ｂ、９２ｂと直線圧着ローラ９４ｂは互いに独立した関係で圧着・解除姿勢の切り換えが可能である。また回転カム機構５０においても、第１カム板５２と第２カム板のカム面形状を変更することによって、第１・第２ターン圧着ローラ９１ｂ、９２ｂの圧着・解除姿勢の切り換えタイミングを任意に設定することが可能である。
【００３９】
各種処理情報を表示するモニター７ａや各種処理命令を入力するための操作卓７ｂが接続されているコントローラ７は、ＣＰＵ、ＲＯＭ、ＲＡＭ、Ｉ／Ｆ回路などからなるマイクロコンピュータシステムを中核部材として構成され、上述したようなこの写真処理装置の制御に必要な各種機能をハードウエア又はソフトウエア或いはその両方で実現させている。ここで実現されている主な機能要素は、図６に示すように、フィルム搬送機構９とフィルムスキャナー４を制御するスキャナー制御部７１、フィルムスキャナー３によって取得した画像データに対してホワイトバランスやネガポジ反転や輪郭強調などの種々の画像処理を行ってプリントデータを生成する画像処理部７２、画像処理部７２によって処理された画像データをモニター７ａに表示するためのビデオ信号を生成するビデオ処理部７３、プリントデータに基づいてデジタルプリント部５を駆動するデジタルプリント制御部７４、バックプリント部１２を駆動するバックプリント制御部７５、振り分け装置４を制御する振り分け制御部７７、印画紙搬送機構８を制御する印画紙搬送制御部７６、回転カム機構５０やスライドカム機構６０を制御するカム機構制御部７８である。さらに、コントローラ７には、ＣＤ−ＲＯＭやＭＯやＦＤなどの画像データ記録メディアから画像データを受け付けたり、通信回線を介して伝送されてくるデジタル画像データを受け付ける外部画像入力部７ｃが接続されている。この外部画像入力部７ｃが設けられていることにより、この写真処理装置は、入力されるオリジナル画像として写真フィルムだけでなく、デジタルカメラによって撮像された画像、外付けのフィルムスキャナーによって読み取られた画像、コンピュータグラフィックソフトなどで作成されたＣＧ画像をも取り扱うことができる。
【００４０】
比較的短い印画紙サイズにおける露光搬送及び露光後搬送の動作説明図が図７と図８に、長い印画紙サイズにおける露光サイズの動作説明図が図９と図１０に示されている。なお、これらの一連の露光搬送動作は印画紙搬送制御部７６とカム機構制御部７８によって制御される。
【００４１】
まず短いカット印画紙２の場合、
（１）図７（イ）カット印画紙２の先端が第１露光搬送ローラユニット８０Ｂに達すると、第１露光圧着ローラ８５が第１露光駆動ローラ８４の方に変位し、第１露光駆動ローラ８４と第１露光圧着ローラ８５との間にカット印画紙２を挟み込む。この第１露光搬送ローラユニット８０Ｂの圧着動作の完了後、第１・第２中間圧着ローラ８４ａ、８４ｂを中間駆動ローラ８４から遠ざかるように変位させて中間搬送ローラユニット８０Ａにおけるカット印画紙２の圧着を解除する。これにより、カット印画紙２の搬送は、中間搬送ローラユニット８０Ａから第１露光搬送ローラユニット８０Ｂに引き継がれたことになる。
【００４２】
（２）図７（ロ）カット印画紙２の先端が露光ヘッド５ａに達すると、露光ヘッド５ａが露光動作し、第１露光搬送ローラユニット８０Ｂによる副走査下でのカット印画紙２の前端領域の露光が開始する。
（３）図７（ハ）カット印画紙２の先端が第２露光搬送ローラユニット８０Ｃに達すると、第２露光圧着ローラ８８が第２露光駆動ローラ８７の方に変位し、第２露光駆動ローラ８７と第２露光圧着ローラ８８との間に２列のカット印画紙２を挟み込む。これにより、カット印画紙２の露光搬送は、露光ヘッド５ａの両側に配置された第１露光搬送ローラユニット８０Ｂと第２露光搬送ローラユニット８０Ｃによる二重駆動で行われる。
【００４３】
（４）図８（ニ）第１露光搬送ローラユニット８０Ｂと第２露光搬送ローラユニット８０Ｃの両方によるカット印画紙２の露光搬送が、印画紙長さによって異なる所定長さ分だけ行われると、第１露光圧着ローラ８６を第２露光駆動ローラ８５から遠ざかるように変位させて第１露光搬送ローラユニット８０Ｂにおけるカット印画紙２の圧着を解除する。これにより、以後のカット印画紙２の搬送は第２露光搬送ローラユニット８０Ｃによって露光終了まで行われる。第１・第２ターン圧着ローラ９１ｂ、９２ｂは圧着解除姿勢となっており、露光中のカット印画紙２の先端がフリー状態ででターン搬送部９０Ａを通過することができる。直線搬送部９０Ｂは先に露光したカット印画紙２を現像部６に送り込む必要があるので、直線圧着ローラ９４ｂは圧着姿勢を保っている。
【００４４】
（５）図８（ホ）カット印画紙２の後端が露光ヘッド５ｅを通過すると、ターン搬送部９０Ａの第１・第２ターン圧着ローラ９１ｂ、９２ｂは同時に圧着姿勢に切り換えられ、露光済みのカット印画紙２はターン搬送部９０Ａによって挟持搬送される。既に搬送すべきカット印画紙２は露光を完了しているので、直線搬送部９０Ｂの直線圧着ローラ９４ｂは圧着姿勢のままで、カット印画紙２の先端を迎える。これにより、カット印画紙２の搬送は露光搬送部８ｄから露光後搬送部８ｅに引き継がれたことになる。なお、続いて後続のカット印画紙２がターン搬送部９０Ａに入ってくる場合、先行のカット印画紙２の後端が第１ターン圧着ローラ９１ｂを過ぎるやいなや第１ターン圧着ローラ９１ｂを圧着解除し、続いて先行のカット印画紙２の後端が第２ターン圧着ローラ９２ｂを過ぎるやいなや第２ターン圧着ローラ９２ｂを圧着解除すればよい。  （６）図８（へ）カット印画紙２の先端が直線搬送部９０Ｂに進入すると、ターン搬送部９０Ａの第１・第２ターン圧着ローラ９１ｂ、９２ｂは同時又は第１ターン圧着ローラ９１ｂから順に圧着解除姿勢に切り換えられ、カット印画紙２の搬送はターン搬送部９０Ａから直線搬送部９０Ｂに引き継がれていき、ターン搬送部９０Ａは次のカット印画紙２の受け入れ姿勢を維持する。
【００４５】
次に、長いカット印画紙２の場合、
（１）図９（イ）上述した図７（イ）の説明に準ずる。
（２）図９（ロ）上述した図７（ロ）の説明に準ずる。
（３）図９（ハ）上述した図７（ハ）の説明に準ずる。
【００４６】
（４）図１０（ニ）直線搬送部９０Ｂが先に露光したカット印画紙２が現像部６に送り込むと、直線圧着ローラ９４ｂは圧着解除姿勢に切り換えられ、露光中のカット印画紙２の先端が送り込まれてくるのを待つ。この時点では、第１・第２ターン圧着ローラ９１ｂ、９２ｂ、及び直線圧着ローラ９４ｂの全てが圧着解除状態となっており、カット印画紙２は第１露光搬送ローラユニット８０Ｂと第２露光搬送ローラユニット８０Ｃによって露光搬送されている。
【００４７】
（５）図１０（ホ）第１露光搬送ローラユニット８０Ｂと第２露光搬送ローラユニット８０Ｃの両方によるカット印画紙２の露光搬送が、所定長さ分（例えば、全長２００mmのカット印画紙２で約１６０mm程度）だけ行われると、第１露光圧着ローラ８６を第１露光駆動ローラ８５から遠ざかるように変位させて第１露光搬送ローラユニット８０Ｂにおけるカット印画紙２の圧着を解除する。そして、カット印画紙２の露光搬送は、第２露光搬送ローラユニット８０Ｃによる搬送速度で露光終了まで行われる。
【００４８】
（６）図１０（ヘ）カット印画紙２の後端が露光ヘッド５ｅを通過すると、もはや露光むらの心配はないので、、第１・第２ターン圧着ローラ９１ｂ、９２ｂ、及び直線圧着ローラ９４ｂの全てが圧着姿勢に切り換えられ、続いて第２露光搬送ローラユニット８０Ｃの第２露光圧着ローラ８８が圧着解除され、印画紙搬送はターン搬送部９０Ａと直線搬送部９０Ｂに引き継がれる。
【００４９】
上記の実施の形態では、回転カム機構５０とスライドカム機構６０とを別個に構成していたが、例えば、スライドカム機構６０の回転体６１を回転カム機構５０の回転軸５１ａに第３のカム板として取り付け、このカム板に従動するカムフォロアを一端に設けた適当な揺動リンクの他端でスライドカム体６４を摺動するように構成することで、回転カム機構５０とスライドカム機構６０を一体化することも可能であり、このような構成も本発明の枠内に入るものである。
【図面の簡単な説明】
【図１】本発明による複列画像露光装置を採用した写真処理装置の全体ブロック図
【図２】振り分け装置とデジタルプリント部周辺での印画紙搬送を説明する説明図
【図３】振り分け装置とデジタルプリント部周辺での印画紙搬送機構を示す概略側面図
【図４】露光後搬送部の模式図
【図５】回転カム機構とスライドカム機構の動作位置を説明する模式図
【図６】コントローラの機能を示す機能ブロック図
【図７】短いカット印画紙における露光搬送動作を説明する説明図
【図８】短いカット印画紙における露光搬送動作を説明する説明図
【図９】長いカット印画紙における露光搬送動作を説明する説明図
【図１０】長いカット印画紙における露光搬送動作を説明する説明図
【符号の説明】
２    印画紙（カット印画紙）
４    振り分け装置
５    デジタルプリント部
５ａ  露光ヘッド
６    現像処理部
７    コントローラ
８    印画紙搬送機構
８ａ  引き出し搬送部
８ｂ  振り分け前搬送部
８ｃ  中間搬送部
８ｄ  露光搬送部
８ｅ  露光後搬送部
５０    回転カム機構
６０    スライドカム機構
８０Ａ  中間搬送ローラユニット
８０Ｂ  第１露光搬送ローラユニット
８０Ｃ  第２露光搬送ローラユニット
９０Ａ  ターン搬送部
９０Ｂ  直線搬送部
９１ａ  第１ターン駆動ローラ
９１ｂ  第１ターン圧着ローラ
９２ａ  第２ターン駆動ローラ
９２ｂ  第２ターン圧着ローラ
９３ａ  直線駆動ローラ
９３ｂ  直線圧着ローラ
【図１】
0004232063.tif 000002
【図２】
0004232063.tif 000003
【図３】
0004232063.tif 000004
【図４】
0004232063.tif 000005
【図５】
0004232063.tif 000006
【図６】
0004232063.tif 000007
【図７】
0004232063.tif 000008
【図８】
0004232063.tif 000009
【図９】
0004232063.tif 000010
【図１０】
0004232063.tif 000011